(57)【要約】【課題】芸術作品等の多数の展示作品を、美観を損ねるような係止紐を使用せず一幅の掛け軸基本体に速やかに展示させ、その交換も容易に行えるようにする。【解決手段】天布２、中布３、地布４が裏打ち材６に貼付され一体化されて形成される掛け軸基本体において、中布３を、条形磁石部材９と非磁性の素材で形成した装飾部１０とを交互に配設して構成する。あるいは中布３の構成を条形磁石部材９を織物体の横糸の一部として織り込み、他は他の非磁性の横糸材を織り込んで装飾部１０を形成し連続した織物体とする。展示作品１３はスチール薄板１４を貼着するか、透明な素材からなるスチール板付袋１５に入れるか、透明な樹脂フイルム袋１６に入れるかして中布３の条形磁石部材９に磁着させ展示する。磁力で保持されているので展示作品の交換は容易であり、装飾部１０は展示作品の背景を優雅に演出する。【選択図】図１
2006000578.tif 000002
【特許請求の範囲】
【請求項１】
中布３の構成が細幅状の条形磁石部材９と、非磁性の素材からなる装飾部１０とが中布３の全面に略等間隔おいて交互に配設された状態で構成され、展示作品１３には裏面にスチール薄板１４を貼付して中布３の条形磁石部材９により磁着保持させるように構成したことを特徴とする展示作品の交換が容易な掛け軸。
【請求項２】
中布３の構成が細幅状の条形磁石部材９と、非磁性の素材からなる装飾部１０とが中布３の全面に略等間隔おいて交互に配設された状態で構成され、展示作品１３は、表側が透明で裏側にスチール薄板１４を貼付したスチール板付袋１５に挿入し、該スチール板付袋１５を中布３の条形磁石部材９に磁着保持させるように構成したことを特徴とする展示作品の交換が容易な掛け軸。
【請求項３】
中布３の構成が細幅状の条形磁石部材９と、非磁性の素材からなる装飾部１０とが中布３の全面に略等間隔おいて交互に配設された状態で構成され、展示作品１３には裏面にスチール薄板１４を貼付し、透明な樹脂フイルム袋１６に挿入して中布３の条形磁石部材９に磁着保持させるように構成したことを特徴とする展示作品の交換が容易な掛け軸。
【請求項４】
中布３の構成が縦糸と横糸からなる織物体であって、該織物体の横糸の一部として細幅状の条形磁石部材９が略等間隔おいて織り込まれ、他の横糸部分には非磁性の横糸が織り込まれて装飾部１０を形成して構成され、展示作品１３には裏面にスチール薄板１４を貼付して中布３の条形磁石部材９に磁着保持させるように構成したことを特徴とする展示作品の交換が容易な掛け軸。
【請求項５】
中布３の構成が縦糸と横糸からなる織物体であって、該織物体の横糸の一部として細幅状の条形磁石部材９が略等間隔おいて織り込まれ、他の横糸部分には非磁性の横糸が織り込まれて装飾部１０を形成して構成され、展示作品１３は、表側が透明で裏側にスチール薄板１４を貼付したスチール板付袋１５に挿入し、該スチール板付袋１５を中布３の条形磁石部材９に磁着保持させるように構成したことを特徴とする展示作品の交換が容易な掛け軸。
【請求項６】
中布３の構成が縦糸と横糸からなる織物体であって、該織物体の横糸の一部として細幅状の条形磁石部材９が略等間隔おいて織り込まれ、他の横糸部分には非磁性の横糸が織り込まれて装飾部１０を形成して構成され、展示作品１３は、表側が透明で裏側にスチール薄板１４を貼付し、透明な樹脂フイルム袋１６に挿入して中布３の条形磁石部材９に磁着保持させるように構成したことを特徴とする展示作品の交換が容易な掛け軸。
【発明の詳細な説明】
【技術分野】
【０００１】  本発明は、和室の床の間あるいは壁面等に掛けて芸術性の高い種々の作品を鑑賞の用に供する掛け軸において、一幅の掛け軸基本体に対して、掲示し展示する展示作品のみを交換可能に構成した展示作品の交換が容易な掛け軸に関するものである。
【背景技術】
【０００２】  従来は、写真や書画等の芸術的作品を鑑賞の用に供するため、その作品を全構成物体の中心位置に配置した状態で各作品に一品毎に表具作業を施し、一幅の掛け軸体として成形して展示できるようにしている。かかる表具作業は、表具師により種々の材料を使用して行われ、作品の保護及び鑑賞価値の高めている。この表具作業は、貼付や縫製等の固着手段により行われるため作品は掛け軸基本体に一体化され、作品のみを分離交換しようとしても困難な状態であった。【０００３】  したがって従来は、多くの展示作品を鑑賞しようとする場合、数に比例した表具作業が必要となり、また広い展示壁面も必要となるものであった。特に一般家庭等のように展示する壁面積に制約がある場合には、掛け軸そのものを頻繁に交換しなければならず、掛け替えの作業が面倒であるとともに、保管場所も多くを要する不都合があった。【０００４】  このような事情に鑑み、作品のない掛け軸としての体裁をもたせた一幅の掛け軸基本体を構成し、この掛け軸基本体に展示作品を交換可能に掛止紐等で仮止めする手段や、掛け軸基本体に隠蔽された特殊なバインダー又はマジックテープやマグネットシートを用いて展示に供する作品のみを交換可能なように、いわば仮止め展示できるように構成した提案が、例えば下記の公報に提案されている。
【特許文献１】特開２００１−３２１２５４号公報
【特許文献２】特開平１０−３２８０１４号公報
【発明の開示】
【発明が解決しようとする課題】
【０００５】  掛け軸基本体に対して展示作品のみを交換可能に構成した上記の提案において、例えば特開２００１−３２１２５４号によれば、掛止紐で展示作品を仮止めするため、掛止紐が当該展示作品の表面上に現れることが避けられず、肝心の展示作品の芸術的価値を損なう欠点がある。また、仮止めされる展示作品の大きさが特定され、大きさの異なる作品を展示しようとする場合には、それに適合した位置に、専用の別の係止装置を設ける必要があり、様々な展示作品に対応するには普遍性に欠ける欠点がある。【０００６】  また、特開平１０−３２８０１４号にて提案された手段によれば、表面が隠しシートで覆われる構成としてあるが、バインダーによる表面の膨らみが避けられず、また仮止めされる展示作品の大きさが前記提案同様に制約を受ける欠点がある。バインダ−に代えてマジックテープあるいはマグネットシートにより仮止めする場合においても、前例同様に仮止め展示される作品の大きさに制約を受ける欠点がある。【０００７】  本発明は、このような従来の方式ないしは上記の提案が有している欠点を解決しようとするものであり、一幅の掛け軸基本体において、その基本体に仮止め状態でありながら確実に展示作品を保持し掲示し展示できるようにするとともに、その展示作品の交換も速やかに行うことができる掛け軸基本体を構成するものである。また次々に展示される作品に大きさの制約をなくし、その芸術的価値を何ら損なうことなく、多くの作品を簡便に鑑賞に供することができるようにすることを目的とするものである。
【課題を解決しようとする手段】
【０００８】  本発明の第一は、天布２、中布３および地布４が裏打ち材６に貼着されて構成される掛け軸基本体において、中布３の構成を細幅状の条形磁石部材９と、非磁性の素材からなる装飾部１０とを中布３の全面に略等間隔おいて交互に配設し構成するものであり、一方の展示しようとする展示作品１３には裏面にスチール薄板１４を貼付し裏打ちして中布３に配設された条形磁石部材９に磁着できるようにしたものである。これにより特に装飾部１０の存在により美観上に優れた状態に構成された中布３に展示作品が掲示されて鑑賞ができるように構成したことを特徴とするものである。
【０００９】  本発明の第二は、天布２、中布３および地布４が裏打ち材６に貼着されて構成される掛け軸基本体において、中布３の構成を細幅状の条形磁石部材９と、非磁性素材からなる装飾部１０とを中布３の全面に略等間隔おいて交互に配設して構成し、一方の展示作品１３はスチール薄板１４を貼付せずにそのままとし、代わりに表側が透明で裏側にスチール薄板１４が貼付されたスチール板付袋１５に展示作品を挿入して、該スチール板付袋１５が中布３の条形磁石部材９に磁着保持され、その結果、スチール板付袋１５に内在された展示作品が掲示され展示ができるように構成したことを特徴とするものである。
【００１０】  本発明の第三は、天布２、中布３および地布４が裏打ち材６に貼着されて構成される掛け軸基本体において、中布３の構成を細幅状の条形磁石部材９と、非磁性の素材からなる装飾部１０とを中布３の全面に略等間隔おいて交互に配設し構成するとともに、展示作品１３の裏面にスチール薄板１４を貼付し裏打ちし、更に表裏両側あるいは少なくとも表側が透明な構成の樹脂フイルム袋１６に挿入して、中布３の条形磁石部材９に磁着させ作品の展示ができるように構成したことを特徴とするものである。
【００１１】  本発明の第四は、天布２、中布３および地布４が裏打ち材６に貼着されて一体化される掛け軸基本体において、中布３の構成が縦糸と横糸からなる織物体であって、該織物体の横糸の一部として細幅状の条形磁石部材９が略等間隔おいて織り込まれ、他の横糸部分には非磁性の意匠性、装飾性に優れた横糸材が織り込まれて装飾部１０を形成するものである。このように形成された織物体にて中布３の全面を構成していることが特徴である。一方の展示作品１３には裏面にスチール薄板１４が貼付裏打ちされ、スチール薄板付となった展示作品を中布３の条形磁石部材９に磁着させて展示できるように構成したことを特徴とするものである。
【００１２】  本発明の第五は、天布２、中布３および地布４が裏打ち材６に貼着されて一体化される掛け軸基本体において、中布３の構成が縦糸と横糸からなる織物体であって、該織物体の横糸の一部として細幅状の条形磁石部材９が略等間隔おいて織り込まれ、他の横糸部分には非磁性の意匠性、装飾性に優れた横糸材が織り込まれて装飾部１０を形成するものである。このように形成された織物体にて中布３の全面を構成している。一方の展示作品１３にはスチール薄板１４を貼付せず、代わりに表側が透明で裏側にスチール薄板１４を貼付したスチール板付袋１５に展示作品を挿入し、このスチール板付袋１５を中布３の条形磁石部材９に磁着保持させて作品の展示ができるように構成したことを特徴とするものである。
【００１３】  本発明の第六は、天布２、中布３および地布４が裏打ち材６に貼着されて一体化される掛け軸基本体において、中布３の構成が縦糸と横糸からなる織物体であって、該織物体の横糸の一部として細幅状の条形磁石部材９が略等間隔おいて織り込まれ、他の横糸部分には非磁性の横糸材が織り込まれて装飾部１０を形成するものであり、このように形成された織物体にて中布３の全面を構成している。一方の展示作品１３は裏面にスチール薄板１４が貼付裏打ちされ、更に表裏両側共透明か少なくとも表側が透明な構成の樹脂フイルム袋１６に挿入して中布３の条形磁石部材９に磁着保持させ作品の展示ができるように構成したことを特徴とするものである。
【発明の効果】
【００１４】  本発明によれば、展示作品は直接又はスチール板付袋１５や樹脂フイルム袋１６を介在して磁力により磁着され中布に保持されるので、仮止めとは言え展示作品の大きさに多少の違いがあっても確実に磁着保持させることができる。その磁着保持された状態から展示作品を外す場合には磁力に対抗して展示作品を引き離すだけでよく、したがって展示作品の交換、換装は極めて容易であり速やかに行うことができる。また本発明においては磁着される状態が平面上で行われ、展示作品の周囲に係止のための突起等の邪魔物など存在しないから、美観上に優れ、取り扱いも容易である。特にスチール板付袋１５を用いて作品の展示を行う場合には、展示作品に対し事前に何ら手を加える必要もないから、展示もその交換作業も、より簡便迅速に行える利点がある。
【００１５】  また、交換して展示しようとする次の展示作品に大きさで制約されることがなく、小作品では一幅の掛け軸基本体に複数の作品を展示でき、傾斜させて展示することもできるなど、展示に際しての自由度が大であり、種々の作品について展示作品が有する本来の芸術的価値を何ら損なうことなく、存分に多くの作品の特徴を生かし鑑賞に供することができる利点がある。
【００１６】  本発明は、条形磁石部材９の占める面積は小で装飾部１０の占める面積を大とするものであるから、展示作品に対応する中布の部分の意匠性、美観等も従来のもに比べ遜色なく構成あるいはそれ以上に構成することができ、全体を美観上優れたものとすることができるから展示作品に対して優美な背景を提供、演出できるものである。また、掛け軸基本体は元々可撓性のある素材にて構成され巻物とされるが、本発明においても永久磁石材を使用しながら全体を可撓性のある巻物として形成することができるので、展示作品の掲示を止めた後も全体を巻物としコンパクトに収納できるので、掛け軸のもつ本来の特性を生かしつつ新しい目的に対応することができる。
【発明を実施するための最良の形態】
【００１７】  以下、本発明の実施の形態を例示した図１〜図７に基づいて説明する。図１及び図２は本発明にかかわる掛け軸の全体の構成を示しており、図３及び図４は本発明にかかる中布部分の構成を理解しやすいように模式的に要部を拡大して示した縦方向の断面図である。また本発明にかかわる展示作品の実施の形態を、図５、図６、図７に例示している。【００１８】  １は掛け軸の上部を形成する八双、２は天布を示す。３は中布と言われる部分で、本発明にかかわる主要部である。４は地布、５は軸棒、６は裏打ち材、７は掛緒、８は巻緒を示し、１３は掲示する展示作品を示す。１４はスチール薄板を示し手近に入手できる磁性材料である。本説明では、天布２、中布３、地布４からなる部分で裏打ち材６に貼着されて一体化されている部分を掛け軸基本体としている。【００１９】  本発明における中布３は、以下のような特別な構成としている。９は細幅状に成形された条形磁石部材で、スチール薄板等の磁性材料を吸着する永久磁石としての性能を有するものであればよい。１０は装飾部で、非磁性の素材で意匠性、美的要求に富んだ布材等からなるものである。このような素材からなる条形磁石部材９と装飾部１０とが中布部分全面に、略等間隔おいて交互に配設されて中布３が構成される。【００２０】  図３に詳細を示した本発明の第一、第二、第二の発明にかかわる中布３の実施例では、条形磁石部材９として、柔軟性のある永久磁石部材である、厚さ１ミリメートルのゴム磁石板を、幅２ミリメートルに裁断して形成している。これは市販品であり容易に入手可能である。また、装飾部１０としては美麗な表面を有する布材を幅約５センチメートルに短冊状に裁断したものを用いた。このように形成された条形磁石部材９と装飾部１０とを、それぞれを交互に等間隔おいて中布部分の全面に幅を合わせて配設し、裏打ち材６に貼付して容易に剥離、離脱のないよう一体化し中布３を構成した。この場合、条形磁石部材９が装飾部１０よりやや突出する状態になるよう素材の厚みを選択し調整を行うとよい。必要に応じ更に他の表具材を使用して補強し、外見を整え掛け軸基本体を構成するものである。【００２１】  図１の正面図では、条形磁石部材９と装飾部１０が横方向に並列に配置された場合の例を示しているが、不使用時の収納について考えれば、この形態が一番巻物的に有利で望ましいが、細幅状の条形磁石部材９及び装飾部１０が縦方向に並行あるいは斜めに配設されても本発明の目的を達成できるので本発明に含まれる。【００２２】  次に、本発明の第四、第五、第六の発明にかかわる中布３の他の実施例について説明する。その構成は、図４に例示のとおり、ゴム磁石板を細幅状に裁断して成形した条形磁石部材９を、織物の中に一部の横糸として一定の間隔を隔てて織り込むものであり、他の多くの横糸部分は非磁性材で美観にも優れた素材を織り込んで形成したものである。すなわち、中布３を磁石部材を含む連続した織物として形成するが、その際、横糸の一部に条形磁石部材９を用いており、全体が連続した織物体として形成され、この状態のまま裏打ち材６に貼付して容易に剥離しないよう一体化するものいである。この場合も条形磁石部材９が装飾部１０よりやや突出する状態になるように、条形磁石部材の太さ、他の横糸材の太さを選択調整して行うとよい。本実施例によれば、織物としての特性を生かし柔らかな感じで美的にも強度的にも優れた状態の中布を構成することができ、優雅で堅牢さを併せ持つ掛け軸基本体を構成できる特徴がある。【００２３】  この場合の条形磁石部材９の構成例として、実施例では厚さ２ミリメートルで柔軟性のあるゴム磁石板を、幅２ミリメートルに細幅状に裁断して使用している。これも市販されている永久磁石材であるが、実際の使用に際しては、ゴム磁石板の磁力の方向が一定するように注意して織り込む必要があり、織り上がってからも捻じれないように、磁力の方向に注意して裏打ち材６に貼付固定するのがよい。もっとも捻じれても磁力の低下のない特性を有する永久磁石部材が入手できればその限りではなく、織物としての形成が容易となる。図４において、１１は他材による横糸を示し、１２は縦糸を示しているが図の輻輳するのを避けるため単線にて略示した。本実施例では、条形磁石部材９が４〜５センチメートルおきに配置されるように他の横糸材の間に織り込まれて中布３を形成している。このような中布３の形成においては、条形磁石部材９の表面に縦糸材が現れることになり、磁石部材を覆い隠すことになる美観上の利点と磁着力を低下させる欠点が生じるが、縦糸材の選択を適切に行えば利点を生かした状態で中布３を形成できる。このように形成された中布３に対し、図５に図示したように単にスチール薄板１４を裏面に貼付裏打ちした展示作品１３を磁着させる形態を、本説明では第四の発明としている。【００２４】  次に、展示する作品に対する構成について説明する。１３は展示作品を示し、図５に示す形態は、第一及び第四の発明に係わる場合の構成例である。すなわち、展示作品１３の裏面に直接強磁性材であるスチール薄板１４を貼付し裏打ちして形成したものである。スチール薄板を貼付した上に必要に応じて更に和紙等で上げ裏打ちを行えばよい。スチール薄板１４の貼付は展示作品の裏面全体又は周囲部分に貼付する。このように形成された展示作品１３は、条形磁石部材９が配列された中布３の所要の場所に近づければ確実に磁着するので、展示作品の掲示及び速やかな交換が可能となるものである。本説明では、この形態を第一の発明及び第四の発明としている。本実施例で使用したスチール薄板は、厚さが０．１５ミリメートルの市販の鉄板材であり、片面に接着材が塗布されていて剥離紙を取れば直ちに貼付できるものである。以下の実施例においても同様である。【００２５】  図６に例示した構成例は、本発明の第二及び第五の発明に係わるものである。展示作品１３に対して、スチール薄板１４を貼付するものではない。透明な素材からなる袋、例えばポリエチレンフイルムやビニールフイルム等の透明な樹脂フイルムからなる袋で、少なくとも表側が透明な袋の裏側にスチール薄板１４を貼付し、この袋の中に展示作品を挿入して間接的に磁着させ展示するようにしたものである。すなわち表側の全面が透明で裏側にスチール薄板１４が貼付されたスチール板付袋１５に展示作品１３を入れ、このスチール板付袋１５を条形磁石部材９が配列された中布３に磁着されることにより展示できるようにしたものである。この実施例においては、磁着という簡便な定着手段を取りながら展示作品１３には何ら手を加えることなく直ちに展示させることができるので、特に試行的な展示を行う場合には他の実施形態では実現のできない特有の効果をもたらす。【００２６】  図７に例示した構成例は、本発明の第三及び第六の発明に係わるものである。展示作品１３には図５に例示した場合と同様に、裏面側にスチール薄板１４を貼付し裏打ちする必要がる。このようにしてスチール薄板付となった展示作品１３を、表側、裏側ともに透明な素材でできているか少なくとも表側が透明な状態の樹脂フイルム袋１６に挿入し、しかる後、条形磁石部材９が配列された中布３に磁着させるようにしたものである。透明な樹脂フイルム製袋は比較的安価に入手可能であり、展示作品の汚染防止に有効である。中布３への磁着に際し樹脂フイルムが介在することによる磁着力低下の不安もあるが、該樹脂フイルム袋は極めて薄い素材で構成されているのであまり影響は生じない。不安があれば当該袋の背面側の一部に孔を設けたり、一部を削除するなどの処理を行えばよい。【００２７】  展示作品にスチール薄板を貼付する場合、あらかじめ和紙等を用いて肌裏打ちを行い、しかる後スチール薄板を貼付することが貴重な芸術作品のためにも望ましい。更に上裏打ちを行うことが望ましく、薄めの和紙を用いれば磁着力に大きな影響を出さずに済ますことができる。また展示作品自体が磁性体からなる場合にはスチール薄板による裏打ちの必要はなく、直接、上述した中布３に磁着掲示できるのは勿論である。展示に供する作品は書道家や画家の描いた色紙や絵画等である場合が多いが、何れの作品も平板状のものであれば全て本発明に適応させることができる。【００２８】  本発明は以上のように構成されてあるから、本発明にかかる掛け軸基本体を、床の間や室内の壁面等に展開して掛け、展示作品は主要部である中布部分に速やかに磁着させることにより保持掲示させることができる。展示作品を交換して別の作品を展示しようとする場合には、その作品の端部を持ち上げ磁力に抗した力で引き離せばよく、僅かな力でよいので、貴重な展示作品を損傷する心配もなく、次の新しい展示作品との交換展示が迅速かつ容易に行うことができる。【００２９】  本発明にかかる展示作品を掲示し展示する原理は、磁力の応用による吸着であるため、係止紐やクリップ等の美観上好ましからざる不体裁なものが表面上に現れることは全くない。なおかつ永久磁石材を使用していながら全体を可撓性のある物体として構成できるから、使用しない時には巻き込んでコンパクトに収納できる掛け軸本来の特徴を有する。【００３０】  本発明において展示作品を磁着させ保持させる中布部分は、中布の全面に磁石部材を張りつけたものでなく、条形磁石部材以外で中布の大部分を占めるのは装飾部であり、何れの実施形態においても装飾部を非磁性の美観上に優れた素材を自由に選択して使用でき、創意に富んだ構成とすることができるから、展示作品に対する背景部分を優雅に演出させることができる。特に織物体として中布を形成した場合には、布織物のもつ柔和で優れた美観上の特性を発揮できるので、より一層美的に優れた掛け軸体��することができ、展示作品の鑑賞価値を高めることができる。
以上、本発明について掛け軸体として形成される場合を前提に説明してきたが、本発明と基本的な構成及び使用目的を同一とするものは、掛け軸の形態をなすものに限らず他の形状形態をなすものであっても、何れの形状をなすものであっても本発明に含まれる。
【図面の簡単な説明】
【００３１】
【図１】本発明の実施形態の一例を示した正面図
【図２】図１に示した実施形態の側面図
【図３】本発明にかかる中布部分の縦方向の断面を模式的に示した一部拡大断面図
【図４】本発明にかかる他の実施形態における中布部分の縦方向の断面を模式的に示した一部拡大断面図
【図５】本発明に係わる展示作品の実施形態を示した斜視図
【図６】本発明に係わる展示作品の他の実施形態を示した斜視図
【図７】本発明に係わる展示作品の他の実施形態を示した斜視図
【符号の説明】
【００３２】  ２  天布
３  中布
４  地布
６  裏打ち材
９  条形磁石部材
１０  装飾部
１１  横糸
１２  縦糸
１３  展示作品
１４  スチール薄板
１５  スチール板付袋
１６  樹脂フイルム袋
【図１】
2006000578.tif 000003
【図２】
2006000578.tif 000004
【図３】
2006000578.tif 000005
【図４】
2006000578.tif 000006
【図５】
2006000578.tif 000007
【図６】
2006000578.tif 000008
【図７】
2006000578.tif 000009